(57)【要約】【課題】  保管・管理が簡単で、かつ鉄筋に固定できる鉄筋養生用治具を提供することである。【解決手段】  鉄筋養生用治具１は、単管パイプ２にパイプクランプ３が適宜間隔ごとに取り付けられ、該パイプクランプ３におけるホルダー４の下面に鉄筋養生用の鞘体５が設けられ、該鞘体５には内側にねじ込まれる固定ボルト９が設けられ、パイプクランプ３は単管パイプ２に移動自在に取り付けられたものである。【選択図】図１
2005171509.tif 000002
【特許請求の範囲】
【請求項１】
単管パイプにパイプクランプが適宜間隔ごとに取り付けられ、該パイプクランプにおけるホルダーの下面に鉄筋養生用の鞘体が設けられ、該鞘体には内側にねじ込まれる固定ボルトが設けられたことを特徴とする鉄筋養生用治具。
【請求項２】
パイプクランプは単管パイプに移動自在に取り付けられたことを特徴とする請求項１に記載の鉄筋養生用治具。
【請求項３】
平板の一面に複数の鉄筋養生用の鞘体が立設したことを特徴とする請求項１に記載の鉄筋養生用治具。
【請求項４】
鞘体は平面円形または平面三角形の筒であることを特徴とする請求項１〜３のいずれかに記載の鉄筋養生用治具。
【発明の詳細な説明】
【技術分野】
【０００１】
本発明は鉄筋養生用治具に関するものである。
【背景技術】
【０００２】
鉄筋コンクリート構造物の躯体工事における接合部、例えば柱などの接合部においては、コンクリートの接合面から主筋の先端が突出している。この主筋が突出した状態では、非常に危険なため、その先端に養生キャップや養生カバーを被せていた。その他、この鉄筋の養生治具として、例えば特開２００２−３０９７７８号の鉄筋保護キャップが知られている。
【特許文献１】特開２００２−３０９７７８号公報
【発明の開示】
【発明が解決しようとする課題】
【０００３】
しかし、上記のような養生キャップ、鉄筋保護キャップおよび養生カバーは、鉄筋に差し込むだけで、固定されないため、衝撃によって外れてしまうという問題があった。また、養生キャップなどは各自バラバラであるため、保管や管理が煩雑であるという問題があった。
【０００４】
本発明は上記のような問題に鑑みてなされたものであり、その目的は、保管・管理が簡単で、かつ鉄筋の先端に固定できる鉄筋養生用治具を提供することである。
【課題を解決するための手段】
【０００５】
本発明の鉄筋養生用治具は、単管パイプにパイプクランプが適宜間隔ごとに取り付けられ、該パイプクランプにおけるホルダーの下面に鉄筋養生用の鞘体が設けられ、該鞘体には内側にねじ込まれる固定ボルトが設けられたことを特徴とする。またパイプクランプは単管パイプに移動自在に取り付けられたことを含む。また平板の一面に複数の鉄筋養生用の鞘体が立設したことを含む。また鞘体は平面円形または平面三角形の筒であることを含むものである。
【発明の効果】
【０００６】
鞘体が固定ボルトで鉄筋の先端にしっかりと固定されるため、衝撃により外れることがない。また単管パイプを移動するパイプクランプに鞘体が取り付けられたので、該鞘体を鉄筋の配筋間隔に応じて自在に移動させることができる。鞘体を全ての鉄筋に差し込まなくても単管パイプで多くの鉄筋を覆うことができる。また単管パイプをクランプで任意の形に組み合わせることにより、鉄筋の種々の配筋形状に対応させることができる。鞘体を全ての鉄筋に差し込まなくても平板で多くの鉄筋、特に柱筋などを覆うことができる。
【発明を実施するための最良の形態】
【０００７】
図１および図２は第１の実施の形態の鉄筋養生用治具１である。この鉄筋養生用治具１は、単管パイプ２に適宜間隔ごとに取り付けられたパイプクランプ３におけるホルダー４の下面に取付ボルト４ａで鉄筋養生用の鞘体５が設けられて構成されている。
【０００８】
パイプクランプ３はホルダー４と把持アーム６との間に挿入された単管パイプに締付ボルト７で鉄筋の配筋間隔ごとに固定されている。よって、締付ボルト７を緩めることにより、この固定間隔を鉄筋の配筋間隔に応じて変えることができる。
【０００９】
またパイプクランプ３の底面に設けた鞘体５は円形管であり、鉄筋が挿入できる径を備え、側面のナット８にねじ込まれた固定ボルト９が内側に突出して、鉄筋に固定できるようになっている。
【００１０】
図３および図４は、上記の鉄筋養生用治具１を鉄筋１０の先端に取り付けた断面図であり、鉄筋１０の配筋間隔ごとに配置された鞘体５に鉄筋１０の先端が挿入されて、該鞘体５が固定ボルト９で固定されている。このように鞘体５はパイプクランプ３で単管パイプ２に取り付けられているので保管・管理が簡単にできる。
【００１１】
この他、図５に示すような壁の鉄筋１０の場合は、複数の鉄筋養生用治具１を取り付けることができる。また図６のような開口部の場合は、両側面および上面の鉄筋１０に鉄筋養生用治具１を取り付けることができる。このように長い鉄筋１０を鞘体に挿入することにより、短い鉄筋１０も覆うことができる。
【００１２】
また図７は第２の実施の形態の鉄筋養生用治具１１である。この鉄筋養生用治具１１は、第１の実施の形態の鉄筋養生用治具１を他のパイプクランプ１２で平面正方形に組み立てて形成したものであり、これ以外は上記の鉄筋養生用治具１と同じ構成である。これは鉄筋１０の配筋形状に応じて第１の実施の形態の鉄筋養生用治具１を組み合わせたものである。このように第１の実施の形態の鉄筋養生用治具１を任意の形状に組み合わせることにより、様々な配筋形状の鉄筋に適用することができる。
【００１３】
また図８は第３の実施の形態の鉄筋養生用治具１３である。この鉄筋養生用治具１３は、平板１４の下面に複数の鞘体５を立設したものであり、平面形状に配筋された鉄筋１０を平板１４で覆うことができる。この場合も、長い鉄筋１０を鞘体５に挿入することにより、短い鉄筋１０を覆うことができる。また杭鉄筋のように、円形に配筋された鉄筋を円形の板で覆うこともできる。
【００１４】
また図９は他の実施の形態の鞘体１５である。この鞘体１５は、アングル１６の上面を塞ぐと共に、開口部側にプレート１７を適宜間隔ごとに設け、このプレート１７に固定ボルト９を設けたものであり、（３）に示すように、鉄筋１０を三点で固定することができる。
【図面の簡単な説明】
【００１５】
【図１】第１の実施の形態の鉄筋養生用治具の断面図である。
【図２】第１の実施の形態の鉄筋養生用治具の断面図である。
【図３】第１の実施の形態の鉄筋養生用治具を鉄筋先端に取り付けた断面図である。
【図４】第１の実施の形態の鉄筋養生用治具を鉄筋先端に取り付けた断面図である。
【図５】第１の実施の形態の鉄筋養生用治具を壁筋先端に取り付けた正面図である。
【図６】第１の実施の形態の鉄筋養生用治具を開口部の鉄筋先端に取り付けた正面図である。
【図７】第２の実施の形態の鉄筋養生用治具の平面図である。
【図８】第３の実施の形態の鉄筋養生用治具の斜視図である。
【図９】他の実施の形態の鞘体であり、（１）は鞘体からクランプを取り外した正面ず、（２）は同平面図、（３）は同底面図である。
【符号の説明】
【００１６】
１、１１、１３  鉄筋養生用治具
２  単管パイプ
３、１２  パイプクランプ
４  ホルダー
４ａ  取付ボルト
５、１５  鞘体
６  把持アーム
７  締付ボルト
８  ナット  
９  固定ボルト
１０  鉄筋
１４  平板
１６  アングル
１７  プレート
【図１】
2005171509.tif 000003
【図２】
2005171509.tif 000004
【図３】
2005171509.tif 000005
【図４】
2005171509.tif 000006
【図５】
2005171509.tif 000007
【図６】
2005171509.tif 000008
【図７】
2005171509.tif 000009
【図８】
2005171509.tif 000010
【図９】
2005171509.tif 000011